(57)【特許請求の範囲】
【請求項１】
入力画像の注目画素が文字縁であるか否かを判定する文字縁判定手段と、前記注目画素が文字の内部であるか否かを判定する文字内部判定手段と、前記注目画素の画素値が所定の第１の閾値よりも高ければ高濃度と判定し、前記注目画素の画素値が所定の第２の閾値（＜第１の閾値）よりも低ければ低濃度と判定し、前記注目画素の画素値が前記第１の閾値よりも低く、前記第２の閾値よりも高ければ中濃度と判定する濃度判定手段と、前記文字縁と判定された画素と、前記文字内部と判定された画素が隣接する領域において、前記文字内部と判定された注目画素を中間領域と判定する中間領域判定手段と、前記注目画素が太文字画素であるか細文字画素であるかを判定する文字幅判定手段と、前記各判定手段の判定結果に応じて、濃度の異なる色材を用いて画像を再生する出力手段を備え、前記出力手段は、
前記濃度判定手段が高濃度と判定した注目画素に対しては、前記文字の内部、文字縁、中間領域を全て高濃度の色材のみを用いて再生し、
前記濃度判定手段が低濃度と判定し、前記文字幅判定手段が細文字と判定した注目画素に対しては、前記文字の内部、文字縁、中間領域を全て低濃度の色材で再生し、
前記濃度判定手段が中濃度もしくは低濃度と判定し、前記文字幅判定手段が太文字と判定した注目画素に対しては、前記文字縁を低濃度の色材で再生し、前記文字内部を高濃度の色材で再生し、前記中間領域を低濃度の色材と高濃度の色材の混在で再生し、
前記濃度判定手段が中濃度と判定し、前記文字幅判定手段が細文字と判定した注目画素に対しては、前記文字縁を低濃度の色材で再生し、前記中間領域および文字内部を低濃度の色材と高濃度の色材の混在で再生することを特徴とする画像処理装置。
【請求項２】
入力画像の注目画素が文字縁であるか否かを判定する文字縁判定工程と、前記注目画素が文字の内部であるか否かを判定する文字内部判定工程と、前記注目画素の画素値が所定の第１の閾値よりも高ければ高濃度と判定し、前記注目画素の画素値が所定の第２の閾値（＜第１の閾値）よりも低ければ低濃度と判定し、前記注目画素の画素値が前記第１の閾値よりも低く、前記第２の閾値よりも高ければ中濃度と判定する濃度判定工程と、前記文字縁と判定された画素と、前記文字内部と判定された画素が隣接する領域において、前記文字内部と判定された注目画素を中間領域と判定する中間領域判定工程と、前記注目画素が太文字画素であるか細文字画素であるかを判定する文字幅判定工程と、前記各判定工程の判定結果に応じて、濃度の異なる色材を用いて画像を再生する出力工程を備え、前記出力工程は、
前記濃度判定工程が高濃度と判定した注目画素に対しては、前記文字の内部、文字縁、中間領域を全て高濃度の色材のみを用いて再生し、
前記濃度判定工程が低濃度と判定し、前記文字幅判定工程が細文字と判定した注目画素に対しては、前記文字の内部、文字縁、中間領域を全て低濃度の色材で再生し、
前記濃度判定工程が中濃度もしくは低濃度と判定し、前記文字幅判定工程が太文字と判定した注目画素に対しては、前記文字縁を低濃度の色材で再生し、前記文字内部を高濃度の色材で再生し、前記中間領域を低濃度の色材と高濃度の色材の混在で再生し、
前記濃度判定工程が中濃度と判定し、前記文字幅判定工程が細文字と判定した注目画素に対しては、前記文字縁を低濃度の色材で再生し、前記中間領域および文字内部を低濃度の色材と高濃度の色材の混在で再生することを特徴とする画像処理方法。
【請求項３】
請求項２記載の画像処理方法をコンピュータに実現させるためのプログラム。
【請求項４】
請求項２記載の画像処理方法をコンピュータに実現させるためのプログラムを記録したコンピュータ読み取り可能な記録媒体。
【発明の詳細な説明】
【技術分野】
【０００１】
本発明は、デジタル画像処理装置に関し、例えばプリンタや複写機に好適な技術に関する。
【背景技術】
【０００２】
昨今のプリンタの画質向上は著しく、ユーザの求める画質もそれに応じて年々高くなっている。そのため、近年のプリンタでは、従来のＣＭＹＫといった色材の他に、同じ色でありながら濃度の低い色材を持つプリンタが増加している。これにはさまざまな理由がある。
【０００３】
まず、第一の理由として色域の拡大と粒状性の両立が挙げられる。例えば、シアン（以下Ｃ）、マゼンタ（以下Ｍ）、イエロー（以下Ｙ）を同量ずつ重ねて印刷するとブラック（以下Ｋ）に近い色となるが、一般にＫ色材とＣＭＹを重ねて作成したＫ（以下プロセスブラック）は分光反射率が異なり、見た目にも若干異なった色となる。つまり、プロセスブラックとＫ色材とで表現できる色域が異なる。このため、ＣＭＹＫ４色の色材を用いて出力することでプリンタが出力可能な色の再現域はＣＭＹ３色の色材のみを用いた場合に比べ拡張される。しかし、その一方で、一般的な黒の色材はその他の色に比べて、出力時のコントラストが高いため、低濃度領域をＫ色材で再生すると粒状性が劣化するという問題がある。ここで濃度の低いＫ色材（以下Ｌｋ）を用いると、出力時のコントラストが低くなり、拡大された色域の広さを保ちつつ、粒状性の劣化を避けることができる。
【０００４】
さらに、第二の理由として文字品質の向上が挙げられる。インクジェット方式、電子写真方式のプリンタに関わらず、ＣＭＹを正確に重ねて出力することは難しく、そのため、ＣＭＹを重ねて出力した黒の周りにはＣＭＹの色がついた黒となる。これは文字を出力するときには都合が悪く、色づいた文字は単色で出力された文字に対し先鋭性に劣る。ここで、十分な濃度を持つ文字を再現するにはただ単に文字部をＫ色材で出力するだけで前記問題は解決できる。しかし、文字が十分な濃度を持たない場合、不具合が起こる。これについて図１を用いて説明する。簡単のため１次元の画像データに対し２値誤差拡散を施すことを考える。図１（ａ）が元データで各ブロックは１画素、各数字は画素の濃度値を示すものとする。これに対し、閾値２５６で誤差拡散を施すと、図１（ｂ）のような点線として出力されてしまう。これが文字の縁であった場合、特に文字エッジががたついてしまい、文字の判読性が悪くなる。これは文字が小さければ小さいほど顕著となる。ここで閾値を設定する手法であるが、１画素をＫ色材で出力した場合の濃度と１画素の濃度値を画像で出力したときの濃度が等しくなるように設定しなければならない。そうしないと、入力と出力の総濃度が異なることになってしまう。
【０００５】
この問題を解決する装置として特許文献１がある。特許文献１では、文字を検出し、その文字が低濃度であった場合に、その文字を全てＬｋで出力する。例えば、簡単のためＬｋ色材の濃度をＫ色材の半分とすると、当然のことながら図１（ａ）で示される画像データはＬｋ単色で再生された一本の線（図１（ｃ））として出力される。このようにＬｋを用いることによって低濃度の文字を高品位で出力することができる。
【０００６】
【特許文献１】特開２００２−０６７３５５号公報
【発明の開示】
【発明が解決しようとする課題】
【０００７】
しかし、文字が比較的大きい場合、全面をＬｋ色材で再生すると全面をＫ色材で再生する場合に比べ必要とする色材の総量が増加し、出力コストが増加するという問題がある。
【０００８】
本発明は上記した問題点に鑑みてなされたものであり、
本発明の目的は、文字縁のがたつきを抑制しつつ、再生に必要とする色材の総量、つまり再生に必要なコストを削減した画像処理装置、画像処理方法、プログラムおよび記録媒体を提供することにある。
【課題を解決するための手段】
【０００９】
本発明は、入力画像の注目画素が文字縁であるか否かを判定する文字縁判定手段と、前記注目画素が文字の内部であるか否かを判定する文字内部判定手段と、前記注目画素の画素値が所定の第１の閾値よりも高ければ高濃度と判定し、前記注目画素の画素値が所定の第２の閾値（＜第１の閾値）よりも低ければ低濃度と判定し、前記注目画素の画素値が前記第１の閾値よりも低く、前記第２の閾値よりも高ければ中濃度と判定する濃度判定手段と、前記文字縁と判定された画素と、前記文字内部と判定された画素が隣接する領域において、前記文字内部と判定された注目画素を中間領域と判定する中間領域判定手段と、前記注目画素が太文字画素であるか細文字画素であるかを判定する文字幅判定手段と、前記各判定手段の判定結果に応じて、濃度の異なる色材を用いて画像を再生する出力手段を備え、前記出力手段は、前記濃度判定手段が高濃度と判定した注目画素に対しては、前記文字の内部、文字縁、中間領域を全て高濃度の色材のみを用いて再生し、前記濃度判定手段が低濃度と判定し、前記文字幅判定手段が細文字と判定した注目画素に対しては、前記文字の内部、文字縁、中間領域を全て低濃度の色材で再生し、前記濃度判定手段が中濃度もしくは低濃度と判定し、前記文字幅判定手段が太文字と判定した注目画素に対しては、前記文字縁を低濃度の色材で再生し、前記文字内部を高濃度の色材で再生し、前記中間領域を低濃度の色材と高濃度の色材の混在で再生し、前記濃度判定手段が中濃度と判定し、前記文字幅判定手段が細文字と判定した注目画素に対しては、前記文字縁を低濃度の色材で再生し、前記中間領域および文字内部を低濃度の色材と高濃度の色材の混在で再生することを最も主要な特徴とする。
【発明の効果】
【００１０】
本発明によると、文字縁、文字内部、濃度に応じて用いる色材を変化させることで領域、文字種に応じて適切な処理を行うことができ、画質が向上する。
すなわち、高濃度文字はすべて高濃度色材で再生することにより文字の濃度の一様性が向上するとともに、高濃度色材の版と低濃度色材の版がずれることによるデフェクトの発生を抑制することができ文字品質が向上する。
低濃度細文字はすべて高濃度色材で再生することにより文字の濃度の一様性が向上するとともに、高濃度色材の版と低濃度色材の版がずれることによるデフェクトの発生を抑制することができ文字品質が向上する。
中低濃度太文字の縁を低濃度色材で再生することにより文字の縁のジャギーを抑制することができ文字品質が向上するとともに、文字の内部を高濃度色材で再生することにより再生に必要な総色材量を抑制することができ、再生に必要なコストが抑制できる。
中低濃度細文字の縁を低濃度色材で再生することにより文字の縁のジャギーを抑制することができ文字品質が向上するとともに、文字の内部を高濃度色材と低濃度色材の双方で再生することにより文字内部に白抜けが発生することを抑制することができ画質が向上する。
【発明を実施するための最良の形態】
【００１８】
以下、発明の実施の形態について図面により詳細に説明する。
本発明の好適な実施例を、コピー機を一例に用いて説明する。
図２は、本発明の実施例の構成を示す。まずスキャナ１００により原稿を読み込む。読み込みは光源から射出された光を原稿に照射し、その反射光をＲＧＢ３色のＣＣＤで読み取ることによって行う。尚、読み取られた画像データはアナログ信号であるが、Ａ／Ｄ変換により例えば８ｂｉｔのデジタル信号へと変換しておく。
【００１９】
読み取られた画像データのＧ信号から像域判定手段１０１により、原稿の各領域がどの種の領域であるかを判定する。具体的には注目領域が、文字縁領域であるか、文字内部領域であるか、また文字縁領域もしくは文字内部領域である場合には、その文字が太い文字なのか、細い文字なのかを判定する。更に高濃度領域であるか中濃度領域であるか、若しくは低濃度領域であるかを判定する。尚、この像域判定手段１０１については後に詳述する。
【００２０】
読み取られたデータは反射光の強度を測った値であり、かつスキャナの特性に対し必ずしも線形な応答を示すものではないので、これをスキャナγ補正手段１０２によりスキャナの特性に応じた濃度データに変換する。濃度に線形応答する信号へ変換するのは、後の色変換手段１０４で濃度に対し線形な応答をするＣＭＹＫＬｋデータへの変換が精度良く行われるようにするためである。具体的には図３に示すようなルックアップテーブル（以下ＬＵＴ）をＲＧＢ３色にそれぞれ用いて対応する値に置き換えることで実現する。尚、このＬＵＴに関しては事前にスキャナの特性を計測し、それに応じて作成したものとする。
【００２１】
次に、フィルタ補正手段１０３ではスキャナ読み取りの際に発生したＭｏｄｕｌａｔｉｏｎ  Ｔｒａｎｓｆｅｒ  Ｆｕｎｃｔｉｏｎ（以下ＭＴＦ）の劣化、つまり画像のぼけを補正する。ＭＴＦ劣化の発生する仕組みは以下の通りである。一般的なスキャナはライン状に配されたＣＣＤ受光素子をラインの方向（以下主走査方向）に対して垂直方向（以下副走査方向）に移動させながら画像を読み取る。このとき副走査の方向の移動は、本来得たい領域の信号を得ようとしている間にも連続的に行われているため、周辺領域の情報が畳み込まれ、結果としてＭＴＦの劣化が発生する。その他、ＭＴＦ劣化はＣＣＤ素子のシフトレジスタによる電荷の移動が理想通りに行われない等にも起因するため主走査方向にもＭＴＦ劣化は発生するが、一般に副走査方向に発生するＭＴＦ劣化に比べ軽微である。補正に関しては図４に示すようなフィルタを注目画素周辺領域にたたみ込み積分してやることで達成できる。
【００２２】
次に、色変換手段１０４であるが、入力信号はＲＧＢ３色であり、加法混色系であるのに対し、出力には減法混色系が求められるために行われる。一般的なプリンタではＣＭＹＫ４色に変換することが多いが、本実施例では更にＬｋを加えたＣＭＹＫＬｋの５色に変換するものとする。尚、この変換手段１０４についても後で詳述する。
【００２３】
次にＵＣＲ手段１０５であるが、ここでは色変換手段１０４により得られたＫおよびＬｋの値に基づいてＣＭＹの量を削減するものとする。具体的には、Ｃｏｕｔ＝Ｃｉｎ−Ｋ−Ｌｋ／２、Ｍｏｕｔ＝Ｍｉｎ−Ｋ−Ｌｋ／２、Ｙｏｕｔ＝Ｙｉｎ−Ｋ−Ｌｋ／２、という計算を行って出力するＣＭＹを決定する。尚、Ｃｉｎ，Ｍｉｎ，Ｙｉｎはそれぞれ色変換手段１０４から入力されたＣＭＹの値であり、一方、Ｃｏｕｔ，Ｍｏｕｔ，ＹｏｕｔはＵＣＲ手段１０５の出力ＣＭＹ値である。
【００２４】
次にプリンタγ補正手段１０６はプリンタの出力特性に合わせて信号を補正する。具体的には図５に示すようなＬＵＴをＣＭＹＫＬｋ５色にそれぞれ用いて対応する値に置き換えることで実現する。尚、このＬＵＴに関しては事前にプリンタの特性を計測し、それに応じて作成したものとする。
【００２５】
更に、中間調処理手段１０７により階調数を８ｂｉｔ２５６値であった信号を１ｂｉｔ２値の信号へ変換し、プリンタ１０８によって出力する。尚、中間調処理には誤差拡散を用いることとするが、これは一般的な技術であるため本実施例では説明しない。
【００２６】
次に、像域判定手段１０１について詳述する。図６は像域判定手段１０１の構成を示す。前提として、像域判定手段１０１はスキャナから得られたＲＧＢ信号のうちＧ信号を用いて判定を行う。まずエッジ判定手段２００は入力信号の画素値を閾値１２８で２値化し、図７（ａ）に示すような８つのパタンに合致していれば真、合致していなければ否を出力するものとする。ここで各升は１画素を示し、黒丸は２値化により黒となった画素のことを指すものとする。次に網点判定手段２０１はまず図７（ｂ）に示すような注目画素を中心とするマトリクスに於いて以下の式が成り立てばピーク点と判定する。
【００２７】
（２＊ａ１１−ａ００−ａ２２＞ｔｈ）  且つ
（２＊ａ１１−ａ０２−ａ２０＞ｔｈ）  且つ
（２＊ａ１１−ａ１０−ａ１２＞ｔｈ）  且つ
（２＊ａ１１−ａ０１−ａ２１＞ｔｈ）
尚、ｔｈは所定の閾値とし、ここでは０としておく。その後、注目画素を中心とする３×３画素に於いてピーク点と判定された画素が存在すれば、その３×３画素は全て網点領域であると判定し、真を出力する。またそうでない画素を否と判定する。更に、エッジ判定手段２００と網点判定手段２０１の出力は減算器２０７によりエッジ判定手段２００の出力が真で、且つ網点判定手段２０１の出力が否である領域を文字縁領域として真、それ以外の領域を否として出力する。つまりエッジ判定手段２００と網点判定手段２０１および減算器２０７を以て文字縁領域判定手段と呼ぶことができる。
【００２８】
次に濃度判定手段２０２は注目画素を中心とする３×３画素の画素値の平均を取り、平均値がどの範囲の値であるかによって低濃度であるか、中濃度であるか、あるいは高濃度であるかを判定する。ここで判定に用いる範囲であるが、１ドットのＫ色材を出力したときの対応すべき画素値を以て中濃度と高濃度の境界、および１ドットのＬｋ色材を出力したときの対応すべき画素値を以て低濃度と中濃度の境界の値とし、ここでは画素値０〜１２０ならば低濃度、１２１〜２４０なら中濃度、２４１以上なら高濃度とする。こうすることにより、低濃度と判定された文字域は全てＬｋ色材で出力、高濃度と判定された文字域は全てＫ色材で出力されるので、文字の内部にドットが打たれない領域が発生せず高品位な文字出力が可能となる。ここでは濃度値に対応する画素値そのものを境界に用いたが、あくまでも平均を以て注目画素の濃度としているので、境界は若干ずらしても構わない。また、本実施例では注目領域の画素値の平均を以て判定濃度としたが、中央値や、その他の統計量でも構わない。
【００２９】
次に文字内部領域２０３は主走査方向にスキャンを行い一度文字縁判定が真であった場合、そこから次の文字縁判定が真である画素が入力されるまで真を出力し、それ以外は否を出力する。
【００３０】
次に、中間領域判定手段２０４は文字縁判定が真である画素と、文字内部判定が真である画素が隣り合う領域に於いて文字内部判定が真である画素を中間領域と判定する。
【００３１】
次に、文字幅判定手段２０５は注目画素に対し、図７（ｃ）に示されるような領域内に文字縁判定により真と判定された領域が無ければ太文字画素とし、更に注目画素を中心とする５×５画素領域内に太文字画素が存在した場合、該５×５画素領域を全て太文字領域とし、それ以外を細文字領域と判定する。
【００３２】
最後に総合判定手段２０６は入力に応じて図９（ａ）に示されるような出力を行う。更に文字縁判定手段の出力、中間領域判定手段２０４の出力、文字内部判定手段２０３の出力がいずれも否の場合は０を出力するものとする。
【００３３】
次に、色変換手段１０４について詳述する。図８（ａ）は色変換手段１０４の詳細を示した図である。前段までの処理を施されたＲＧＢ信号はＲＧＢ→ＣＭＹＫＬｋ変換手段３００によりＣＭＹＫＬｋの５つの信号へと変換される。尚、色変換手段３００では図８（ｂ）に示されるような行列演算によってＣＭＹＫＬｋを出力するものである。また、ａ００からａ４４までの係数の決定方法は、ＣＭＹＫＬｋの混色を出力し、その時の分光反射率から事前に算出しておく。
【００３４】
次に色置換手段３０１では像域判定手段１０１の出力に応じてＫをＬｋに若しくはＬｋをＫに置き換える処理を行う。本実施例では簡単のため、Ｋ色材の濃度がＬｋ色材の２倍であるとし、Ｋ信号をＬｋ信号で置き換えるときには、Ｌｋ＝２×Ｋで置き換え、ＬｋをＫで置き換える場合にはＫ＝Ｌｋ÷２を以て置き換えるものとする。当然ながら、ＫとＬｋの色材の濃度は２倍の関係になっている必要はなく、Ｋ色材とＬｋ色材の濃度比に応じて置き換え比率を設定すればよい。尚、像域判定手段１０１の出力に応じた置き換えは９（ｂ）に示すように行う。このままでは理解し難いので９（ａ）と図９（ｂ）を組み合わせた図９（ｃ）を用いて説明する。
【００３５】
文字が高濃度であると判定された場合には全てＫのみを用いて出力するようにする。単色のＫで再生されることにより、Ｋ版とＬｋ版の打ち出し位置がずれること（以下版ずれ）により文字が２重に見えるデフェクトの発生を抑制することができる。同様に低濃度且つ細幅の場合は文字を全てＬｋで再生することにより版ずれによるデフェクトの発生を抑制することができる。また低濃度若しくは中濃度、且つ太幅の場合は文字縁をＬｋで再現し、文字内部をＫ単色で再生、また中間領域は置換無し、つまり、ＫとＬｋが混在するようにする。これにより文字縁が途切れずに連続的に再現されるため文字の判読性が高くなる。一方、文字内部に関してはＫ単色で再生するためＬｋを用い再生する場合に比べ、総色材量を抑制することができる。このような処理を行う合理性としては、文字縁に比べ文字中では形状の正確な再生が必要とされないことによる。この様子を図１０に示す。図１０（ａ）が文字縁を連続的に処理しない場合の中間濃度文字を２値で表した画像であり、図１０（ｂ）が文字縁を連続的に処理した場合の画像である。この図から分かるように文字の縁が連続的に再生されないと文字の縁部分でがたつきが大きく、文字の縁が連続的に再生された方が判読性に優れる。一方、図１０（ｃ）、（ｄ）は文字の縁を連続的に処理した後、文字の内部の線数を変えて再生したものである。（ｃ）が低線数で表した画像であり、（ｄ）が高線数で表した画像である。このような画像を提示したのは、中間濃度の文字をＫ単色で表現した場合と、ＫおよびＬｋの混在で表現した場合に近い画像を示すためである。図１０（ｃ）、（ｄ）から明らかなように左右の画像で文字の判読性はほとんど変わらない。
【００３６】
同様に細幅中濃度の場合は文字の縁を連続的に再生するためにＬｋ色材を用いて出力するが、これは十分な線幅がないと文字の内部に一本の濃い色の線が残る可能性が有ることに起因する。
【００３７】
以上の実施例では濃度の異なる色材としてＫとＬｋを挙げて説明したが、勿論ＣとライトシアンやＭとライトマゼンタ、Ｙとライトイエローといった他の色の色材に関しても全く同様の処理を行うことが可能である。また、本実施例では濃度の薄い色材と濃度の濃い色材を用いて説明したが、中間濃度の色材を用いても同様の処理が可能である。
【００３８】
また、以上の説明では、高濃度色材、低濃度色材の利用を二値的に切り替える手法であったが、例えば濃度に応じて、もしくは線の太さに応じて、混在の割合を制御するという手法であっても構わない。
【００３９】
また、本発明は、前述した実施例の処理手順や機能を実現するソフトウェアのプログラムコードを記録した記憶媒体を、システムあるいは装置に供給し、そのシステムあるいは装置のコンピュータ（ＣＰＵやＭＰＵ）が記憶媒体に格納されたプログラムコードを読出し実行することによっても達成される。この場合、記憶媒体から読出されたプログラムコード自体が前述した実施例の処理手順や機能を実現することになる。プログラムコードを供給するための記憶媒体としては、例えば、フレキシブルディスク、ハードディスク、光ディスク、光磁気ディスク、磁気テープ、不揮発性のメモリカード、ＲＯＭなどを用いることができる。また、コンピュータが読出したプログラムコードを実行することにより、前述した実施例の手順が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれる。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【００４０】
【図１】従来技術の問題点を説明する図である。
【図２】本発明の実施例の構成を示す。
【図３】スキャナγ補正手段の入出力特性を示す。
【図４】ＭＴＦ補正フィルタ例を示す。
【図５】プリンタγ補正手段の入出力特性を示す。
【図６】像域判定手段の構成を示す。
【図７】エッジ判定、網点判定、文字幅判定を説明する図である。
【図８】色変換手段を説明する図である。
【図９】像域判定結果に応じたＬｋ、Ｋ処理を説明する図である。
【図１０】本発明の処理により文字の画質が向上することを説明する図である。
【符号の説明】
【００４１】
１００  スキャナ
１０１  像域判定手段
１０２  スキャナγ補正手段
１０３  フィルタ補正手段
１０４  色変換手段
１０５  ＵＣＲ手段
１０６  プリンタγ補正手段
１０７  中間調処理手段
１０８  プリンタ
【図１】
0004650946.tif 000002
【図２】
0004650946.tif 000003
【図３】
0004650946.tif 000004
【図４】
0004650946.tif 000005
【図５】
0004650946.tif 000006
【図６】
0004650946.tif 000007
【図７】
0004650946.tif 000008
【図８】
0004650946.tif 000009
【図９】
0004650946.tif 000010
【図１０】
0004650946.tif 000011